(57)【要約】【課題】画像形成装置の表示パネルに表示されるキーの最近の利用状況に対応する各キーの使用頻度を検出し、使用頻度の高いキーがユーザにより一目で判別可能となるように各キーの表示形態を変化させる。【解決手段】タッチパネル部５２に表示される各ショートカットキーＫ１〜Ｋ６に対応する機能による画像形成処理が行われる毎に、ＣＰＵ４２は使用されたショートカットキーＫ１〜Ｋ６の識別情報を不揮発性メモリ４５に追加すると共に所定回数前に使用されたショートカットキーＫ１〜Ｋ６の識別情報を不揮発性メモリ４５から削除し、ＣＰＵ４２は不揮発性メモリ４５に記憶されるショートカットキーＫ１〜Ｋ６の識別情報に基づき、現在から遡って過去所定回数前までに行なわれた画像形成処理の際に使用された各ショートカットキーＫ１〜Ｋ６の使用回数を算出し、使用頻度の高いショートカットキーを他のキーより大きく表示する。【選択図】  図２
2004348085.tif 000002
【特許請求の範囲】
【請求項１】
画像形成処理の機能に対応する複数のキーを表示する表示手段を備え、前記表示手段に表示される前記複数のキーからユーザにより任意のキーが選択されると、当該ユーザにより選択された任意のキーに対応する機能による画像形成処理を実行する画像形成装置であって、
前記表示手段に表示される全部又は一部の複数のキーの中で現在から遡って過去所定回数前までに使用された各キーの使用回数を算出する算出手段と、
前記算出手段により算出された各キーの使用回数に応じて、前記表示手段に表示される各キーの表示形態を変化させる表示制御手段とを備えたことを特徴とする画像形成装置。
【請求項２】
請求項１に記載された画像形成装置において、
前記表示制御手段は、前記算出手段により算出された各キーの使用回数に応じて、前記表示手段に表示される各キーの大きさを変更することを特徴とする画像形成装置。
【請求項３】
請求項１に記載された画像形成装置において、
前記表示制御手段は、前記算出手段により算出された各キーの使用回数に応じて、前記表示手段に表示される各キーの配置を変更することを特徴とする画像形成装置。
【請求項４】
請求項１に記載された画像形成装置において、
前記表示制御手段は、前記算出手段により算出された各キーの使用回数に応じて、前記表示手段に表示される各キーの色を変更することを特徴とする画像形成装置。
【発明の詳細な説明】
【０００１】
【発明の属する技術分野】
本発明は、複写機、ファクシミリ装置、複合機等の電子写真を利用した画像形成装置に関する。
【０００２】
【従来の技術】
従来の画像形成装置には、ユーザが操作部の表示パネルに表示される複数のキーのうち頻繁に使用するキーを一目で判別できるように、表示パネルにおける各キーの使用回数を求め、使用頻度の高いキーを他のキーより大きく表示するものがある。各キーの使用頻度の求め方として、例えば、特許文献１では、各キー毎にカウンタを設け、各キーに対応する機能による画像形成処理が実行される毎に各キーの使用回数をカウントし、特許文献２では、各キーの使用回数をカウントすると共に、表示パネルにおける全てのキーの使用回数に対する各キーの使用回数の割合を算出する。
【０００３】
【特許文献１】
特開平１３−４２７０５号公報
【特許文献２】
特開平１１−２６５２４０号公報
【０００４】
【発明が解決しようとする課題】
しかしながら、従来の画像形成装置では、各キーの使用頻度を各キーに設けられたカウンタの累積値により求めているので、キーの使用回数が多くても当該キーが以前は頻繁に使用されていたが最近は使用されていない場合があり、必ずしも最近のキーの利用状況を反映しているとは言えない。
【０００５】
本発明は、上記状況に鑑みてなされたものであり、表示パネルに表示されるキーの最近の利用状況に応じた各キーの使用頻度を検出し、使用頻度の高いキーがユーザにより一目で判別可能となるように各キーの表示形態を変化させる画像形成装置を提供することが目的である。
【０００６】
【課題を解決するための手段】
本発明の請求項１に記載される画像形成装置は、画像形成処理の機能に対応する複数のキーを表示する表示手段を備え、前記表示手段に表示される前記複数のキーからユーザにより任意のキーが選択されると、当該ユーザにより選択された任意のキーに対応する機能による画像形成処理を実行する画像形成装置であって、前記表示手段に表示される全部又は一部の複数のキーの中で現在から遡って過去所定回数前までに使用された各キーの使用回数を算出する算出手段と、前記算出手段により算出された各キーの使用回数に応じて、前記表示手段に表示される各キーの表示形態を変化させる表示制御手段とを備えたことを特徴とする。
【０００７】
この構成によれば、前記算出手段は、前記表示手段に表示される全部又は一部の複数のキーの中で現在から遡って過去所定回数前までに行なわれた画像形成処理の際に使用された各キーの使用回数を算出することにより最近の利用状況に応じた各キーの使用頻度を求め、前記表示制御手段は、最近の利用状況に応じた各キーの使用頻度に基づき、前記表示手段における使用頻度の高いキーの形態を他のキーと異なる形態にすることにより、ユーザは前記表示手段から使用頻度の高いキーを容易に判別することができ、キーを使用する際の操作性を向上させることができる。
【０００８】
本発明の請求項２に記載される画像形成装置は、請求項１に記載された画像形成装置において、前記表示制御手段は、前記算出手段により算出された各キーの使用回数に応じて、前記表示手段に表示される各キーの大きさを変更することを特徴とする。
【０００９】
この構成によれば、前記表示制御手段は、前記算出手段により求められた最近の利用状況に応じた各キーの使用頻度に基づき、前記表示手段における使用頻度の高いキーの大きさを他のキーと異なる大きさにすることにより、ユーザは前記表示手段から使用頻度の高いキーを容易に判別することができる。
【００１０】
本発明の請求項３に記載される画像形成装置は、請求項１に記載された画像形成装置において、前記表示制御手段は、前記算出手段により算出された各キーの使用回数に応じて、前記表示手段に表示される各キーの配置を変更することを特徴とする画像形成装置。
【００１１】
この構成によれば、前記表示制御手段は、前記算出手段により求められた最近の利用状況に応じた各キーの使用頻度に基づき、前記表示手段において使用頻度の高いキーを目立つ場所に配置することができ、ユーザは前記表示手段から使用頻度の高いキーを容易に判別することができる。
【００１２】
本発明の請求項４に記載される画像形成装置は、請求項１に記載された画像形成装置において、前記表示制御手段は、前記算出手段により算出された各キーの使用回数に応じて、前記表示手段に表示される各キーの色を変更することを特徴とする。
【００１３】
この構成によれば、前記表示制御手段は、前記算出手段により求められた最近の利用状況に応じた各キーの使用頻度に基づき、前記表示手段において使用頻度の高いキーを目立つ色にすることができ、ユーザは前記表示手段から使用頻度の高いキーを容易に判別することができる。
【００１４】
【発明の実施の形態】
以下、本発明による画像形成装置の一例として本発明の一実施の形態によるデジタル複合機について図面を参照しながら説明する。
【００１５】
図１は、本発明の一実施の形態によるデジタル複合機の機械的構成を主に示す側面概略図である。
【００１６】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１７】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷枚数等を入力するために用いられる。
【００１８】
原稿給送部６００は、原稿収納部６０１、原稿排出部６０２、給紙ローラ６０３及び原稿搬送部６０４等を備え、原稿読み取り部５００は、スキャナ５０１等を備える。給紙ローラ６０３は、原稿収納部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００１９】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２０】
感光体ドラム２０４は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０４に静電潜像を形成する。現像装置２０７は、黒色の現像剤を感光体ドラム２０４に供給してトナー画像を形成する。
【００２１】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２２】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２３】
図２は、図１に示すデジタル複合機の電気的構成を主に示すブロック図である。デジタル複合機１は、スキャナ部１１、画像処理部２１、プリンタ部３１、制御部４１、操作パネル部５１、ネットワークＩ／Ｆ（インターフェース）部７１、及びＨＤＤ（ハードディスクドライブ）７４を備える。
【００２４】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２５】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１又はネットワークＩ／Ｆ部７１等へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２６】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データ、ネットワークＩ／Ｆ部７１を介してパーソナルコンピュータ等から送信された印刷データ等の画像データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２７】
ネットワークＩ／Ｆ部７１は、ネットワークインタフェース（１０／１００Ｂａｓｅ−ＴＸ）等を用い、ＬＡＮを介して外部装置との間での種々のデータの送受信を制御する。ＨＤＤ７４は、スキャナ部１１によって読み取られた画像データ及び当該画像データに設定されている出力形式等を記憶する。
【００２８】
操作パネル部５１は、図１に示すタッチパネル４０１等から構成されるタッチパネル部５２、及び図１に示すスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面を表示するとともに、ユーザが当該部分をタッチすることにより種々の操作指令を入力するための操作ボタン等を表示する。操作キー部５３は、ユーザが印刷実行指令等を入力するために用いられる。
【００２９】
制御部４１は、ＣＰＵ４２、ＣＰＵ４２を制御する種々のプログラムデータなどを予め記憶するＲＯＭ４３、ＣＰＵ４２の作業領域としてのＲＡＭ４４、及び不揮発性メモリ４５等を含み、装置各部を制御する。
【００３０】
ユーザが操作パネル部５１を用いて所定の操作を行うことにより、タッチパネル部５２に表示される操作画面から使用頻度の高いキーについてショートカットの登録を行なうことが可能であり、当該登録されたショートカットキーはタッチパネル部５２の基本画面に表示される。ユーザがタッチパネル部５２に表示される基本画面に含まれるショートカットキーＫ１〜Ｋ６を押下する毎に、ＣＰＵ４２はショートカットキーＫ１〜Ｋ６のうちいずれのキーが押下されたかを判別し、押下されたショートカットキーを特定するための識別情報を順次不揮発性メモリ４５に記憶し、同時に、不揮発性メモリ４５に現在から遡って過去所定回数前（例えば、３０回前）に使用されたショートカットキーの識別情報が記憶されている場合は、当該ショートカットキーの識別情報を削除する。ショートカットキーＫ１〜Ｋ６の識別情報とは、各ショートカットキーＫ１〜Ｋ６に割り当てられた各種機能、名称等の情報であり、ユーザにより押下された各ショートカットキーＫ１〜Ｋ６を識別するための情報であればどのような情報でもよい。これにより、不揮発性メモリ４５には常に現在から遡って過去所定回数前まで使用されたショートカットキーＫ１〜Ｋ６の識別情報が記憶される。
【００３１】
図３はタッチパネル部５２に表示される基本画面の一例である。図において、タッチパネル部５２に表示される基本画面Ｇ１には、各ショートカットキーＫ１〜Ｋ６が表示されており、各ショートカットキーＫ１〜Ｋ６はユーザにより各種機能が登録されていない状態である。ユーザが基本画面Ｇ１を用いて所望の機能に対応するキーを押下することにより各種機能を設定し、更にショートカット登録キー（図示省略）を押下することにより、各ショートカットキーＫ１〜Ｋ６に各種機能及び名称等を割り当てるためのキー割り当て画面（図示省略）に移行する。ユーザは操作パネル部５１を用いて設定した機能をショートカットキーＫ１〜Ｋ６のいずれかのキーに割り当て、さらに、各ショートカットキーＫ１〜Ｋ６に割り当てられた機能に対応する名称等を入力したり、アイコンを選択することにより、各ショートカットキーＫ１〜Ｋ６は入力された名称やアイコンの形態でタッチパネル部５２に表示される。
【００３２】
図４は、ショートカットの作成が行なわれた基本画面の一例であり、基本画面Ｇ２に含まれる各ショートカットキーＫ１〜Ｋ６には「ソート／仕上げ処理」，「両面／分割」，「ページ付け」等の各機能が割り当てられており、ユーザが各ショートカットキーＫ１〜Ｋ６を押下することにより、割り当てられた各種機能による画像形成処理が画像処理部２１等により実行される。基本画面Ｇ２において、各ショートカットキーＫ１〜Ｋ６は一度も使用されていない状態であり、各ショートカットキーＫ１〜Ｋ６の大きさは全て同一である。
【００３３】
図５は、図４に示すタッチパネル部５２における基本画面に含まれるショートカットキーＫ１〜Ｋ６がユーザにより使用された場合の制御部による処理を説明するためのフローチャートである。
【００３４】
ＣＰＵ４２は、タッチパネル部５２に表示される基本画面Ｇ２を用いてユーザによりショートカットキーＫ１〜Ｋ６が押下されたか否かを判断し、ユーザによりいずれかのショートカットキーＫ１〜Ｋ６が押下された場合はステップＳ３に進む。
【００３５】
次に、ステップＳ３において、ＣＰＵ４２は不揮発性メモリ４５に過去に使用されたショートカットキーＫ１〜Ｋ６の識別情報が所定個数分記憶されているか否かを判断し、ＣＰＵ４２は不揮発性メモリ４５にショートカットキーＫ１〜Ｋ６の識別情報が所定個数分記憶されていないと判断した場合は、ステップＳ７に進み、ＣＰＵ４２はステップＳ１においてユーザにより押下されたショートカットキーＫ１〜Ｋ６の識別情報を不揮発性メモリ４５に追加する。逆に、ＣＰＵ４２は不揮発性メモリ４５にショートカットキーＫ１〜Ｋ６の識別情報が所定個数分記憶されていると判断した場合は、ステップＳ５に進み、ＣＰＵ４２は不揮発性メモリ４５に記憶されるショートカットキーＫ１〜Ｋ６の識別情報から所定回数前に使用されたショートカットキーＫ１〜Ｋ６の識別情報を削除し、ステップＳ７において．ＣＰＵ４２はステップＳ１においてユーザにより押下されたショートカットキーＫ１〜Ｋ６の識別情報を不揮発性メモリ４５に記憶する。
【００３６】
次に、ステップＳ９において、ＣＰＵ４２は不揮発性メモリ４５から任意の識別情報（以下、「第１のキー識別情報」という）を読み出し、第１のキー識別情報により特定される例えばショートカットキーＫ１の使用回数を１とする。ステップＳ１１において、ＣＰＵ４２は第１の識別情報を基準として不揮発性メモリ４５に記憶されるその他の識別情報との異同判定を行なうため、例えば前回使用されたショートカットキーの識別情報（以下、「第２の識別情報」という）を不揮発性メモリ４５から読み出し、第１の識別情報と第２の識別情報との異同を判断し、第１の識別情報と第２の識別情報が同一である場合は、ステップＳ１３に進み、ＣＰＵ４２はショートカットキーＫ１の使用回数を１加算する。
【００３７】
次に、ステップＳ１５において、ＣＰＵ４２は不揮発性メモリ４５において第１の識別情報との異同判定が行なわれていない未判定の識別情報を検索し、未判定の識別情報を検出した場合は、ステップＳ１１に戻り、第１の識別情報と未判定の識別情報との異同判定を行なう。このようにＣＰＵ４２により第１の識別情報を基準として不揮発性メモリ４５に記憶されるその他全ての識別情報との異同判定が終了するまで、ステップＳ１１，１３及び１５を繰り返し、現在から遡って過去所定回数前まで行なわれた画像形成処理の際に使用されたショートカットキーＫ１の使用回数を算出する。
【００３８】
ステップＳ１７に進み、ＣＰＵ４２は使用回数を算出したショートカットキーＫ１と異なるショートカットキーの識別情報が不揮発性メモリ４５に記憶されているか否かを判断し、例えばショートカットキーＫ２の識別情報が不揮発性メモリ４５に記憶されている場合は、ＣＰＵ４２はステップＳ９〜Ｓ１５の処理を行うことにより、現在から遡って過去所定回数前まで行なわれた画像形成処理の際に使用されたショートカットキーＫ２の使用回数を求める。
【００３９】
ＣＰＵ４２はショートカットキーＫ１と異なるショートカットキーの識別情報が不揮発性メモリ４５に記憶されていないと判断した場合は、ステップＳ１９に進み、ＣＰＵ４２は、既に算出したショートカットキーＫ１〜Ｋ６の使用回数が多い順に各ショートカットキーＫ１〜Ｋ６の大きさを４段階に変更してタッチパネル部５２に表示する。即ち、タッチパネル部５２において、使用回数が一番多いショートカットキーは一番大きく表示され、使用回数が２番目に多いショートカットキーは２番目に大きく表示され、使用回数が３番目に多いショートカットキーは３番目に大きく表示され、その他のショートカットキーは標準のサイズで表示される。
【００４０】
このように、ＣＰＵ４２は、現在から遡って過去所定回数前まで行なわれた画像形成処理の際に使用された各ショートカットキーＫ１〜Ｋ６の使用回数を求め、使用頻度の高いキーをタッチパネル部５２において大きく表示するので、ユーザはタッチパネル部５２に表示される複数のショートカットキーＫ１〜Ｋ６から使用頻度の高いキーを容易に判別することができる。
【００４１】
図６は、図４に示すタッチパネル部５２に表示される基本画面におけるショートカットキーＫ１〜Ｋ６の使用状況を説明するための図である。図７は、図４に示すタッチパネル部５２に表示される基本画面におけるショートカットキーＫ１〜Ｋ６の使用頻度に応じて、ショートカットキーＫ１〜Ｋ６の大きさを変化させた場合の基本画面の一例を示す図である。
【００４２】
不揮発性メモリ４５には、現在から遡って過去３０回前まで使用されたショートカットキーＫ１〜Ｋ６の識別情報が記憶されている。タッチパネル部５２に表示される基本画面において「集約」キーＫ５が押下された場合、ＣＰＵ４２により３０回前に使用された「表紙付け」キーＫ４の識別情報ｋ４が不揮発性メモリ４５から削除され、今回ユーザにより押下された「集約」キーＫ５の識別情報がＣＰＵ４２により不揮発性メモリ４５に追加される。ＣＰＵ４２は「集約」キーＫ５の使用回数を１とし、「集約」キーの識別情報と不揮発性メモリ４５に記憶されるその他の識別情報との一致判定を順次行いながら、両者が一致する場合において「集約」キーＫ５の使用回数を加算していき、「集約」キーＫ５の総使用回数を求める。ＣＰＵ４２は同様に他のショートカットキーの総使用回数を求め、ＣＰＵ４２により算出されたショートカットキーＫ１〜Ｋ６の使用回数が多い順から、例えば、「ソート／仕上げ処理」キーＫ１の使用回数が１０回、「表紙付け」キーＫ４の使用回数が９回，「集約」キーＫ５の使用回数が４回、「ページ付け」キーＫ３の使用回数が４回、「画面／分割」キーＫ２の使用回数が２回、「イメージ合成」キーＫ６の使用回数が１回である場合ＣＰＵ４２は各ショートカットキーＫ１〜Ｋ６の使用回数に応じて、図７に示すように各ショートカットキーＫ１〜Ｋ６の大きさを変化させる。
【００４３】
図７において、タッチパネル部５２に表示される基本画面Ｇ３において使用回数の一番多い「ソート／仕上げ処理」キーＫ１は他のショートカットキーＫ２〜Ｋ６に比べ一番大きく表示され、使用回数の２番目に多い「表紙付け」キーＫ４はその次に大きいサイズで表示され、使用回数の３番目に多い「ページ付け」キーＫ３及び「集約」キーＫ５はその次に大きいサイズで表示され、使用回数が一番少ない「画面／分割」キーＫ２及び「イメージ合成」キーＫ６は標準のサイズで表示される。このように、ＣＰＵ４２はタッチパネル部５２において使用頻度の高いショートカットキーＫ１，Ｋ４等を他のキーよりも大きく表示するので、ユーザは使用頻度の高いショートカットキーＫ１、Ｋ４等を容易に見つけることができる。なお、ここでは、タッチパネル部５２の基本画面Ｇ３には「画面／分割」キーＫ２及び「イメージ合成」キーＫ６は標準のサイズで表示されるが、図８に示す基本画面Ｇ４のように、使用頻度の高い「ソート／仕上げ処理」キーＫ１、「表紙付け」キーＫ４等がより強調されるように、使用頻度の低い「画面／分割」キーＫ２及び「イメージ合成」キーＫ６を標準のサイズよりも小さく表示するようにしてもよい。
【００４４】
図９は、図４に示すタッチパネル部５２における基本画面に含まれる各ショートカットキーＫ１〜Ｋ６の使用頻度に応じて、各ショートカットキーＫ１〜Ｋ６の配置を変化させた場合の基本画面の一例を示す図である。
【００４５】
ＣＰＵ４２は、不揮発性メモリ４５に記憶されるショートカットキーＫ１〜Ｋ６の識別情報に基づき現在から遡って過去所定回数前まで行なわれた画像形成処理の際に使用された各ショートカットキーＫ１〜Ｋ６の使用回数を算出し、ＣＰＵ４２により算出された各ショートカットキーＫ１〜Ｋ６の使用回数が多い順から、例えば、「表紙付け」キーＫ４、「ソート／仕上げ処理」キーＫ１，「ページ付け」キーＫ３、「画面／分割」キーＫ２、「イメージ合成」キーＫ６、「集約」キーＫ５である場合、タッチパネル部５２に表示される基本画面Ｇ５の上段には「表紙付け」キーＫ４及び「ソート／仕上げ処理」キーＫ１が配置され、基本画面Ｇ５の中段には「ページ付け」キーＫ３及び「画面／分割」キーＫ２が配置され、基本画面Ｇ５の下段には「イメージ合成」キーＫ６及び「集約」キーＫ５が配置される。
【００４６】
このように、ＣＰＵ４２はショートカットキーＫ１〜Ｋ６の使用回数に応じて各ショートカットキーＫ１〜Ｋ６の配置を変化させ、使用頻度の高い「表紙付け」キーＫ４及び「ソート／仕上げ処理」キーＫ１を基本画面Ｇ５の上段に配置するので、ユーザは基本画面Ｇ５から使用頻度の高い「表紙付け」キーＫ４及び「ソート／仕上げ処理」キーＫ１を容易に見つけることができる。
【００４７】
図１０は、図４に示すタッチパネル５２に表示される基本画面における各ショートカットキーＫ１〜Ｋ６の使用頻度に応じて、各ショートカットキーＫ１〜Ｋ６の色を変化させた場合の基本画面の一例を示す図である。
【００４８】
ＣＰＵ４２は、不揮発性メモリ４５に記憶されるショートカットキーＫ１〜Ｋ６識別情報に基づき現在から遡って過去所定回数前まで行なわれた画像形成処理の際に使用された各ショートカットキーＫ１〜Ｋ６の使用回数を算出し、ＣＰＵ４２により算出された使用回数が最も多いショートカットキーが、例えば「ソート／仕上げ処理」キーＫ１であり，２番目に使用回数が多いショートカットキーが「イメージ合成」キーＫ６である場合、タッチパネル部５２の基本画面Ｇ６には「ソート／仕上げ処理」キーＫ１は赤色で表示され、「イメージ合成」キーＫ６は青色で表示され、その他のショートカットキーＫ２〜Ｋ５については通常通り白色で表示される。これにより、ユーザは基本画面Ｇ５から使用頻度の高い「ソート／仕上げ処理」キーＫ１及び「イメージ合成」キーＫ６を容易に判別することができる。なお、ここでは、「ソート／仕上げ処理」キーＫ１及び「イメージ合成」キーＫ６を異なる色にしているがこれには限らず同色にしたり、各ショートカットキーＫ１〜Ｋ６の使用頻度に応じて全てのショートカットキーＫ１〜Ｋ６の色をそれぞれ異なる色にする等種々の変更が可能である。
【００４９】
本実施形態によれば、タッチパネル部５２に表示される基本画面における各ショートカットキーＫ１〜Ｋ６が使用される毎に、ＣＰＵ４２は使用されたショートカットキーＫ１〜Ｋ６の識別情報を不揮発性メモリ４５に追加すると共に所定回数前に使用されたショートカットキーＫ１〜Ｋ６の識別情報を不揮発性メモリ４５から削除し、ＣＰＵ４２は不揮発性メモリ４５に記憶されるショートカットキーＫ１〜Ｋ６の識別情報を用いて各ショートカットキーＫ１〜Ｋ６の使用回数を算出するので、現在から遡って過去所定回数前まで行なわれた画像形成処理の際に使用された各ショートカットキーＫ１〜Ｋ６の使用回数を算出することができる。さらに、ＣＰＵ４２は使用回数が多いショートカットキーＫ１〜Ｋ６をタッチパネル部５２において大きく表示したり、目立つ場所に配置したり、着色するので、ユーザは最近の使用状況に応じた使用頻度の高いショートカットキーを容易に判別することができ、ショートカットキーＫ１〜Ｋ６を使用する際の利便性を向上することができる。
【００５０】
なお、本実施形態においては、タッチパネル部に表示される基本画面に含まれるショートカットキーのみが対象となっているが、これには限定されず、用紙サイズ等の基本設定キーを含む基本画面に表示される全てのキーの中から過去所定回数前までに使用された各キーの使用回数を求め、使用頻度の高いキーを他のキーと異なる形態でタッチパネル部に表示する構成にしてもよいし、また、基本設定キー及びショートカットキーの使用回数をそれぞれ個別に求め、基本設定キー及びショートカットキーそれぞれの中から使用頻度の高いキーを検出する構成としても良い。
【００５１】
さらに、基本画面に表示される「機能リスト」タブが選択されると、画面が切り替わり「ソート」，「ステイプル」等の各種機能設定キーがタッチパネル部５２に表示され、「ユーザ機能」タブが選択されると、ユーザ毎に各種機能がカスタマイズされたカスタマイズキーが表示されるが、このように基本画面の各種タブを押下することにより表示される操作画面に含まれる設定キー等についても本発明は同様に適用される。
【００５２】
【発明の効果】
本発明によれば、現在から遡って過去所定回数前までに行なわれた画像形成処理の際に使用された各キーの使用回数を算出することにより最近の利用状況に対応する各キーの使用頻度を求め、前記表示制御手段は各キーの使用頻度に基づき、前記表示手段において使用頻度の高いキーを大きく表示したり、目立つ場所に配置したり、目立つ色に配色するので、ユーザは前記表示手段から使用頻度の高いキーを容易に判別することができ、キーを使用する際の操作性を向上させることができる。
【図面の簡単な説明】
【図１】本発明の一実施の形態によるデジタル複合機の機械的構成を主に示す側面概略図である。
【図２】図１に示すデジタル複合機の電気的構成を主に示すブロック図である。
【図３】図２に示すタッチパネル部に表示される基本画面の一例である
【図４】タッチパネル部に表示されるショートカットの作成が行なわれた基本画面の一例である。
【図５】タッチパネル部における基本画面に含まれるショートカットキーがユーザにより使用された場合の制御部による処理を説明するためのフローチャートである。
【図６】タッチパネル部における基本画面におけるショートカットキーの使用状況を説明するための図である。
【図７】タッチパネル部における基本画面に含まれる各ショートカットキーの使用頻度に応じて、各ショートカットキーの大きさを変化させた場合の基本画面の一例を示す図である。
【図８】タッチパネル部における基本画面に含まれる各ショートカットキーの使用頻度に応じて、各ショートカットキーの大きさを変化させた場合の基本画面の一例を示す図である。
【図９】タッチパネル部における基本画面に含まれる各ショートカットキーの使用頻度に応じて、各ショートカットキーの配置を変化させた場合の基本画面の一例を示す図である。
【図１０】タッチパネル部における基本画面に含まれる各ショートカットキーの使用頻度に応じて、各ショートカットキーの色を変化させた場合の基本画面の一例を示す図である。
【符号の説明】
４１  制御部
４２  ＣＰＵ
４３  ＲＯＭ
４４  ＲＡＭ
４５  不揮発性メモリ
【図１】
2004348085.tif 000003
【図２】
2004348085.tif 000004
【図３】
2004348085.tif 000005
【図４】
2004348085.tif 000006
【図５】
2004348085.tif 000007
【図６】
2004348085.tif 000008
【図７】
2004348085.tif 000009
【図８】
2004348085.tif 000010
【図９】
2004348085.tif 000011
【図１０】
2004348085.tif 000012